(57)【特許請求の範囲】
【請求項１】
表示部と、
電子メールを受信する受信部と、
受信された前記電子メールおよび送信された前記電子メールを記憶する第１記憶部と、
受信された前記電子メールおよび送信された前記電子メールに添付された添付ファイルを、前記第１記憶部に記憶された前記電子メールの中から前記添付ファイルに関連する前記電子メールを特定するための識別情報に対応付けて記憶する第２記憶部と、
前記第２記憶部に記憶された前記添付ファイルが選択されると、選択された前記添付ファイルに関連する前記電子メールの情報を前記表示部に表示する表示制御部とを備え、
前記添付ファイルの添付元の前記電子メールが、当該電子メール機能付き機器から送信された、他の電子メールに対する返信の電子メールである場合、前記第２記憶部に記憶された前記添付ファイルは、前記添付元の前記電子メールを特定する第１情報および前記他の電子メールを特定する第２情報を含む前記識別情報に対応付けられ、
前記表示制御部は、前記第１情報および前記第２情報を含む前記識別情報に対応付けられた前記添付ファイルが選択されると、前記添付元の前記電子メールの情報および前記他の電子メールの情報を前記表示部に表示する、
ことを特徴とする電子メール機能付き機器。
【請求項２】
請求項１に記載の電子メール機能付き機器において、
前記添付ファイルに関連する前記電子メールの情報は、前記電子メールの本文、件名および通信日時の少なくとも１つを含む、
ことを特徴とする電子メール機能付き機器。
【請求項３】
請求項１または２に記載の電子メール機能付き機器において、
前記表示制御部は、前記第１情報および前記第２情報を含む前記識別情報に対応付けられた前記添付ファイルが選択された際、更なる選択操作に基づいて、前記添付元の前記電子メールの情報および前記他の電子メールの情報のうち前記添付元の前記電子メールの情報のみを前記表示部に表示する、ことを特徴とする電子メール機能付き機器。
【請求項４】
請求項１ないし３のいずれか一項に記載の電子メール機能付き機器において、
前記電子メールの差出人を特定する情報を前記電子メールから抽出する抽出部をさらに備え、
前記第２記憶部は、前記差出人を特定する情報に基づいて前記添付ファイルを分類して記憶する、
ことを特徴とする電子メール機能付き機器。
【発明の詳細な説明】
【技術分野】
【０００１】
本発明は、携帯電話機やパーソナルコンピュータ等の電子メール機能付き機器に関するものである。
【背景技術】
【０００２】
従来、携帯電話機は、電子メールにファイルを添付して電子メールを送受信する機能を有する（特許文献１参照）。この機能により、ユーザは、受信した電子メールから、添付ファイルを抽出して携帯電話機に保存することができる。添付ファイルを保存する場合、ユーザは、表示部に電子メールを表示させ、電子メールから添付ファイルを選択し、添付ファイルの保存先を指定してから、添付ファイルを保存先に格納している。
【先行技術文献】
【特許文献】
【０００３】
【特許文献１】特開２００４−６２６４５号公報
【発明の概要】
【発明が解決しようとする課題】
【０００４】
上記のように、電子メールと別の保存先に添付ファイルが保存された場合、添付ファイルと電子メールとが分離されている。このため、ユーザは、保存された添付ファイルを見ただけでは、その添付ファイルに関する具体的な情報を知ることができない。
【０００５】
この場合、ユーザは、表示部に電子メールの一覧を表示させ、一覧の中から目的の添付ファイルを探し出した上で、目的の添付ファイルが添付された電子メールを見て、添付ファイルに関する具体的な情報を得ることもできる。しかしながら、目的の添付ファイルが添付された電子メールを探すには手間がかかる。しかも、電子メールの数が多い場合には、添付ファイルを手掛かりに電子メールを検索することが困難である。
【０００６】
本発明は、かかる課題に鑑みてなされたものであり、添付ファイルに関連する電子メールの情報を容易に取得できる電子メール機能付き機器を提供することを目的とする。
【課題を解決するための手段】
【０００７】
本発明の電子メール機能付き機器は、表示部と、電子メールを受信する受信部と、受信された前記電子メールおよび送信された前記電子メールを記憶する第１記憶部と、受信された前記電子メールおよび送信された前記電子メールに添付された添付ファイルを、前記第１記憶部に記憶された前記電子メールの中から前記添付ファイルに関連する前記電子メールを特定するための識別情報に対応付けて記憶する第２記憶部と、前記第２記憶部に記憶された前記添付ファイルが選択されると、選択された前記添付ファイルに関連する前記電子メールの情報を前記表示部に表示する表示制御部とを備える。ここで、前記添付ファイルの添付元の前記電子メールが、当該電子メール機能付き機器から送信された、他の電子メールに対する返信の電子メールである場合、前記第２記憶部に記憶された前記添付ファイルは、前記添付元の前記電子メールを特定する第１情報および前記他の電子メールを特定する第２情報を含む前記識別情報に対応付けられる。そして、前記表示制御部は、前記第１情報および前記第２情報を含む前記識別情報に対応付けられた前記添付ファイルが選択されると、前記添付元の前記電子メールの情報および前記他の電子メールの情報を前記表示部に表示する。
【０００８】
本態様に係る電子メール機能付き機器において、前記添付ファイルに関連する前記電子メールの情報は、前記電子メールの本文、件名および通信日時の少なくとも１つを含み得る。
【０００９】
本態様に係る電子メール機能付き機器において、前記表示制御部は、前記第１情報および前記第２情報を含む前記識別情報に対応付けられた前記添付ファイルが選択された際、更なる選択操作に基づいて、前記添付元の前記電子メールの情報および前記他の電子メールの情報のうち前記添付元の前記電子メールの情報のみを前記表示部に表示するよう構成され得る。
【００１１】
本態様に係る電子メール機能付き機器において、前記電子メールの差出人を特定する情報を前記電子メールから抽出する抽出部をさらに備え得る。ここで、前記第２記憶部は、前記差出人を特定する情報に基づいて前記添付ファイルを分類して記憶する。
【発明の効果】
【００１２】
本発明によれば、添付ファイルに関連する電子メールの情報を容易に取得できる電子メール機能付き機器を提供することができる。
【００１３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１４】
【図１】実施の形態に係る携帯電話機の外観構成を示す図である。
【図２】実施の形態に係る携帯電話機の全体構成を示すブロック図である。
【図３】実施の形態に係る添付ファイルを保存する処理手順を示すフローチャートである。
【図４】実施の形態に係る添付ファイルに対応識別情報を付与して保存する方法を説明するための図である。
【図５】実施の形態に係る添付ファイルに関連する電子メールを表示する処理手順を示すフローチャートである。
【図６】実施の形態に係る添付ファイルから関連する電子メールを表示する際に、表示面に表示される画面を示す図である。
【発明を実施するための形態】
【００１５】
以下、本発明の実施の形態について、図面を参照して説明する。図１（ａ）は、第１キャビネット１０および第２キャビネット２０を並べて開いた姿勢の携帯電話機１の外観構成を示す。図１（ｂ）は、第１キャビネット１０および第２キャビネット２０を重ねて閉じた姿勢の携帯電話機１の外観構成を示す。
【００１６】
携帯電話機１は、第１キャビネット１０および第２キャビネット２０を有する。第２キャビネット２０は、ヒンジ部３０によって、第１キャビネット１０に対し回転可能に連結されている。
【００１７】
第１キャビネット１０の正面には、キー操作部１１およびマイクロホン１２が設けられている。キー操作部１１には、カーソルキー、センターキー、各種の機能モードへの切替えキー、通話開始キー、通話終了キー、番号入力キーおよび文字入力キーなどの各種キーが配される。切替キーは、後述するメールキーを含む。各種キーの上面に、入力される番号などの刻印が表示される。
【００１８】
第２キャビネット２０の正面には、表示部２１の液晶パネル２１ａおよびスピーカ２２が配置されている。液晶パネル２１ａの正面には表示面２１ｂが設けられており、表示面２１ｂが外部に現れている。
【００１９】
液晶パネル２１ａの背後には、バックライト装置（以下、「パネルバックライト」と言う。）２１ｃが配されている。パネルバックライト２１ｃは、光源となるＬＥＤを備え、液晶パネル２１ａに光を供給する。
【００２０】
ヒンジ部３０は、一対の回転軸３１および一対の軸受部３２を含む。回転軸３１は、第２キャビネット２０の連結側端部から左右に延びる。軸受部３２は、第１キャビネット１０の連結側端部に形成され、回転軸３１を受ける。
【００２１】
図２は、携帯電話機１の全体構成を示すブロック図である。
【００２２】
携帯電話機１は、上述した各構成要素の他、ＣＰＵ１００、メモリ１０１、通信モジュール１０２、キー入力回路１０３、音声エンコーダ１０４、光源駆動回路１０５、映像デコーダ１０６および音声デコーダ１０７を備える。
【００２３】
マイクロホン１２は、集音した音声を音声信号に変換して音声エンコーダ１０４へ出力する。音声エンコーダ１０４は、マイクロホン１２からのアナログの音声信号をデジタルの音声信号に変換するとともに、デジタルの音声信号にエンコード処理を施してＣＰＵ１００へ出力する。
【００２４】
キー入力回路１０３は、キー操作部１１の各キーが操作されたときに、各キーに応じた入力信号をＣＰＵ１００へ出力する。
【００２５】
光源駆動回路１０５は、ＣＰＵ１００からの制御信号に応じた電圧信号をパネルバックライト２１ｃに供給する。パネルバックライト２１ｃは、それぞれ光源駆動回路１０５からの電圧信号により点灯したりおよび消灯したりする。
【００２６】
映像デコーダ１０６は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００２７】
音声デコーダ１０７は、ＣＰＵ１００からの音声信号、および着信音やアラーム音等の各種報知音の音信号にデコード処理を施し、さらにアナログの音声信号および音信号に変換してスピーカ２２に出力する。スピーカ２２は、音声デコーダ１０７からの音声信号や音信号に基づいて音声や報知音などを再生する。
【００２８】
通信モジュール１０２は、送信部として、ＣＰＵ１００からの電子メールなどの情報を無線信号に変換し、アンテナ１０２ａから基地局へ送信する。これにより、電子メールなどの情報が基地局を介して通信対象へ送信される。また、通信モジュール１０２は、受信部として、アンテナ１０２ａにより受信した無線信号を電子メールなどの情報に変換してＣＰＵ１００へ出力する。これにより、電子メールなどの情報が通信対象から基地局を介して受信される。なお、電子メールの情報は、付加情報、件名、本文、添付ファイルを含む。付加情報は、通信対象情報、通信日時、メール特定情報および参照情報を含む。通信対象情報は、電子メールの差出人（From）や宛先（To）などを示す情報であって、たとえば、電話番号やメールアドレスである。メール特定情報は、電子メールを識別するために一意的に設定された情報であって、たとえば、Message-IDなどである。他の電子メールに対して電子メールが返信された場合、返信元の電子メールのメール特定情報が参照情報として記される。参照情報には、たとえば、In-Reply-ToやReferencesが用いられる。電子メールが複数回やり取りされている場合、返信元の電子メールの全て又は一部のメール特定情報が参照情報として記される。メール特定情報および参照情報は、電子メールを送信する携帯電話機や受信する携帯電話機において、電子メールに付加されてもよいし、電子メールが配信するためのメールサーバなどにおいて、電子メールに付加されてもよい。
【００２９】
メモリ１０１は、ＲＯＭおよびＲＡＭを含む記憶部である。メモリ１０１には、ＣＰＵ１００に制御機能を付与するための制御プログラムが記憶されている。また、メモリ１０
１には、連絡先情報が保存される。連絡先情報は、氏名、電話番号およびメールアドレスなどを含み、これらの情報が互いに対応付けられて記憶されている。
【００３０】
さらに、メモリ１０１は、第１記憶部１０１ａおよび第２記憶部１０１ｂを有する。第１記憶部１０１ａは、送受信された電子メールを記憶する。たとえば、第１記憶部１０１ａは、送信された電子メールを保存する送信フォルダ、および受信された電子メールを保存する受信フォルダに相当し、メールフォルダに含まれる。第２記憶部１０１ｂは、送受信された電子メールから抽出された添付ファイルを記憶する。第２記憶部１０１ｂは、データフォルダに含まれる。
【００３１】
ＣＰＵ１００は、キー入力回路１０３からの操作入力信号に基づき、制御プログラムに従って、マイクロホン１２、通信モジュール１０２、液晶パネル２１ａ、パネルバックライト２１ｃおよびスピーカ２２などを動作させる。これにより、通話機能および電子メール機能などの各種アプリケーションが実行される。
【００３２】
ＣＰＵ１００は、表示制御部として、映像デコーダ１０６および光源駆動回路１０５へ制御信号を出力する。これにより、ＣＰＵ１００は、液晶パネル２１ａおよびパネルバックライト２１ｃを制御して、表示面２１ｂに画像を表示させる。
【００３３】
ＣＰＵ１００は、通信モジュール１０２が電子メールを送信および受信した際に、抽出部として、送受信した電子メールの情報に含まれる付加情報、件名、本文および添付ファイルの情報を検出し抽出する。
【００３４】
ＣＰＵ１００は、生成部として、対応識別情報を生成する。対応識別情報は、送受信した電子メールとこの電子メールから抽出された添付ファイルとを対応付けるための情報である。このため、対応識別情報を基に、添付ファイルから添付元の電子メールを検索することができる。
【００３５】
ＣＰＵ１００は、対応識別情報を電子メールに付加し、第１記憶部１０１ａに保存する。また、ＣＰＵ１００は、対応識別情報を添付ファイルに付加し、第２記憶部１０１ｂに保存する。
【００３６】
＜第１の実施形態の処理手順＞
図３は、携帯電話機１：Ｐ１において、送受信した電子メールおよび添付ファイルを保存する処理手順を示すフローチャートである。図４は、携帯電話機１：Ｐ１と携帯電話機Ｐ２との間の電子メールが送受信されたときに、携帯電話機１：Ｐ１における電子メールおよび添付ファイルを保存する方法を説明するための図である。
【００３７】
添付ファイルを電子メールから抽出してメモリ１０１に保存する機能が設定されると、ＣＰＵ１００はこの機能を実現するための制御プログラムを起動する。
【００３８】
図４に示すように、添付ファイルを含まない電子メールＭ１が携帯電話機Ｐ２から携帯電話機１：Ｐ１へ送信されると、携帯電話機１：Ｐ１のＣＰＵ１００は、通信モジュール１０２を介して電子メールＭ２を受け取る。ＣＰＵ１００は、電子メールが受信されたか、送信されたかを判断しており（Ｓ１０１）、電子メールＭ２を受け取ると、電子メールを受信したと判断する（Ｓ１０１：ＹＥＳ）。なお、電子メールＭ２には、電子メールＭ１に対し、メール特定情報（以下、ＭＤと言う。）Ｉ１が追加されている。
【００３９】
ＣＰＵ１００は、受信した電子メールＭ２からＭＤ：Ｉ１を抽出する（Ｓ１０２）。また、ＣＰＵ１００は、電子メールＭ２の参照情報（以下、ＲＤと言う。）が記されている
か否かを判断する。電子メールＭ２は他の電子メールを基に返信された電子メールではなく、電子メールＭ２にはＲＤが記されていないため、ＣＰＵ１００は電子メールＭ２のＲＤがないと判断する（Ｓ１０３:ＮＯ）。
【００４０】
電子メールＭ２にはＭＤがあるが、ＲＤがないことから、ＣＰＵ１００は、ＭＤ：Ｉ１の全部または一部を基に対応識別情報を生成する。たとえば、ホスト名など携帯電話機１：Ｐ１を示す端末識別情報がＭＤに含まれている場合には、ＭＤから端末識別情報を除いた部分ｉ１が対応識別情報に利用される。ＣＰＵ１００は、この部分ｉ１に電子メールの受信を表わす情報Ｒを付けて、対応識別情報ｉ１Ｒを生成する（Ｓ１０６）。そして、ＣＰＵ１００は、対応識別情報ｉ１Ｒを電子メールＭ２に付加して（Ｓ１０６）、電子メールＭ３としてメールフォルダの受信フォルダに保存する（Ｓ１０７）。
【００４１】
また、ＣＰＵ１００は、電子メールＭ２に添付ファイルがあるか否かを判断する（Ｓ１０８）。今回の電子メールＭ２には、添付ファイルが添付されていないため（Ｓ１０８:ＮＯ）、ＣＰＵ１００は、処理を終了する。
【００４２】
次に、携帯電話機１：Ｐ１のユーザが電子メールＭ３に対して電子メールＭ４を返信する場合、返信元の電子メールＭ３のＭＤ：Ｉ１がＲＤ：Ｉ１として電子メールＭ４に付加される。そして、電子メールＭ４が通信モジュール１０２から送信されると、ＣＰＵ１００は、ステップＳ１０１において送信があったと判断する（Ｓ１０１:ＮＯ）。
【００４３】
電子メールＭ４のＲＤにＩ１が記されていることから、ＣＰＵ１００はＲＤがあると判断する（Ｓ１０３:ＹＥＳ）。ＲＤが記されていることから、電子メールＭ４が他の電子メールから返信されたものであることがわかる。電子メールＭ４は自己の電子メールＭ３に基づいて返信されるものであるため、電子メールＭ４のＲＤ：Ｉ１は自己の携帯電話機１：Ｐ１に関するものであると判断する(Ｓ１０４:ＹＥＳ)。そして、ＣＰＵ１００は、電子メールＭ４からＲＤ：Ｉ１を抽出する（Ｓ１０５）。これにより、電子メールＭ４の返信元の電子メールＭ３に関する情報として、ＲＤ：Ｉ１が得られる。
【００４４】
電子メールＭ４には、ＭＤはないが、ＲＤ：Ｉ１があるため、ＣＰＵ１００は、ＲＤ：Ｉ１に基づく情報ｉ１と送信を示す情報Ｓとから対応識別情報ｉ１Ｓを作成して、対応識別情報ｉ１Ｓを電子メールＭ４に付ける（Ｓ１０６）。ＣＰＵ１００は、電子メールＭ４に対応識別情報ｉ１Ｓを付加した電子メールＭ５をメールフォルダの送信フォルダに保存する（Ｓ１０７）。
【００４５】
この電子メールＭ４には添付ファイルが添付されていないため、ＣＰＵ１００は、添付ファイルがないと判断して（Ｓ１０８:ＮＯ）、処理を終了する。
【００４６】
一方、電子メールＭ４が携帯電話機１：Ｐ１から送信されると、電子メールＭ４にＭＤ：Ｉ２が付加される。Ｉ２が付加された電子メールＭ６は携帯電話機Ｐ２に受信される。
【００４７】
携帯電話機Ｐ２において、電子メールＭ６を基にして電子メールＭ７が返信される場合、電子メールＭ６のＲＤに、直前の返信元の電子メールＭ５のＭＤ：Ｉ２が加えられる。電子メールＭ７（添付ファイルＦ１あり）が携帯電話機１：Ｐ１に送信されると、電子メールＭ７にＭＤ：Ｉ３が追加される。そして、Ｉ３が付加された電子メールＭ８が携帯電話機１：Ｐ１で受信されると、ＣＰＵ１００は電子メールを受信したと判断する（Ｓ１０１:ＹＥＳ）。ＣＰＵ１００は、電子メールＭ８からＭＤ：Ｉ３を抽出する（Ｓ１０２）。また、ＣＰＵ１００は、ＲＩＤ：Ｉ１、Ｉ２があると判断する（Ｓ１０３:ＹＥＳ）。ＣＰＵ１００は、Ｉ１およびＩ２の中でＩ１が自己に起因するものであると判断する（Ｓ１０４:ＹＥＳ）。そこで、ＣＰＵ１００は、ＭＤ：Ｉ３に基づく情報ｉ３と、ＲＤ：Ｉ１に基づく情報ｉ１と、受信を示す情報Ｒとを組み合わせて、対応識別情報ｉ１ｉ３Ｒを生成する。ＣＰＵ１００は、対応識別情報ｉ１ｉ３Ｒを電子メールＭ８に付加し（Ｓ１０６）、電子メールＭ９を受信フォルダに保存する（Ｓ１０７）。
【００４８】
電子メールＭ８には添付ファイルＦ１が添付されているため、ＣＰＵ１００は添付ファイルありと判断する（Ｓ１０８:ＹＥＳ）。ＣＰＵ１００は、電子メールＭ８の差出人Ｐ２のメールアドレスを抽出する（Ｓ１０９）。ＣＰＵ１００は、メモリ１０１の連絡先情報を参照し、メールアドレスに対応する氏名を求める。なお、連絡先情報に差出人の氏名がない場合、差出人のメールアドレスを用いる。
【００４９】
ＣＰＵ１００は、電子メールＭ８の差出人の氏名およびメールアドレスと、データフォルダの中のサブフォルダの名称とを比較し、これらが一致するか否かを判断する（Ｓ１１０）。差出人の氏名などとサブフォルダの名称とが一致しない場合、差出人の関するサブフォルダがないため、ＣＰＵ１００は、データフォルダにサブフォルダを作成し、差出人の氏名またはメールアドレスの一部または全部を用いてサブフォルダに名称ＮＰ２を付ける（Ｓ１１１）。
【００５０】
ＣＰＵ１００は、添付ファイルＦ１に対応識別情報ｉ１ｉ３Ｒを付加して（Ｓ１１２）、差出人の名称ＮＰ２が付いたサブフォルダに保存し（Ｓ１１３）、処理を終了する。
【００５１】
さらに、携帯電話機Ｐ２において、電子メールＭ６に基づいて電子メールＭ１０を返信する場合についても、電子メールＭ７の場合と同様の処理が実行される。よって、携帯電話機１：Ｐ１では、電子メールＭ１０にＭＤ：Ｉ４が付加された電子メールＭ１１が受信される（Ｓ１０１:ＹＥＳ）。ＣＰＵ１００は電子メールＭ１１からＭＤ：Ｉ４を抽出する（Ｓ１０２）。また、ＣＰＵ１００は、電子メールＭ１１のＲＤ：Ｉ１およびＩ２の中から自己の携帯電話機１：Ｐ１に関するＲＤ：Ｉ１を抽出する（Ｓ１０３：ＹＥＳ、Ｓ１０４:ＹＥＳ、Ｓ１０５）。そして、ＣＰＵ１００は、ＭＤ：Ｉ４およびＲＤ：Ｉ１に基づいて対応識別情報ｉ１ｉ４Ｒを生成し、対応識別情報ｉ１ｉ４Ｒを電子メールＭ１１に付加する（Ｓ１０６）。この対応識別情報ｉ１ｉ４Ｒが付加された電子メールＭ１２が受信フォルダに保存される（Ｓ１０７）。さらに、ＣＰＵ１００は、電子メールＭ１１に添付ファイルＦ２が添付されていると判断し（Ｓ１０８:ＹＥＳ）、電子メールＭ１１から添付ファイルＦ２および差出人Ｐ２のメールアドレスを抽出する（Ｓ１０９）。ＣＰＵ１００は、連絡先情報を参照し、差出人Ｐ２のメールアドレスに対応する氏名があれば、差出人Ｐ２の氏名を特定する。ＣＰＵ１００は、差出人Ｐ２のメールアドレスおよび氏名と、データフォルダの中のサブフォルダの名称とを比較し、差出人Ｐ２に対応するサブフォルダを検索する（Ｓ１１０）。差出人Ｐ２に対応するサブフォルダがなければ（Ｓ１１０:ＮＯ）、ＣＰＵ１００は、差出人Ｐ２のメールアドレスまたは氏名を名称として、サブフォルダを作成する（Ｓ１１１）。そして、ＣＰＵ１００は、添付ファイルＦ２に対応識別情報ｉ１ｉ４Ｒを付加して（Ｓ１１２）、差出人Ｐ２の名称ＮＰ２が付いたサブフォルダに保存する（Ｓ１１３）。
【００５２】
さらに、携帯電話機１：Ｐ１において、ユーザが電子メールＭ１２に対して電子メールＭ１３を返信する場合、返信元の電子メールＭ１２のＭＤ：Ｉ４が電子メールＭ１３のＲＤに付加される。そして、電子メールＭ１３が携帯電話機１：Ｐ１から送信されると、電子メールＭ１３にＭＤ：Ｉ５が付加された電子メールＭ１４が携帯電話機Ｐ２に受信される。
【００５３】
携帯電話機１：Ｐ１では、ＣＰＵ１００は、電子メールＭ１３の送信を検知する（Ｓ１０１:ＮＯ）。ＣＰＵ１００は、電子メールＭ１３がＲＤ：Ｉ１、Ｉ２、Ｉ４を含むと判断し（Ｓ１０３:ＹＥＳ）、自己のＲＤ：Ｉ１、Ｉ４を抽出する（Ｓ１０５）。ＣＰＵ１
００は、ＲＤ：Ｉ１、Ｉ４に基づいて対応識別情報ｉ１ｉ４Ｓを生成し、対応識別情報ｉ１ｉ４Ｓを電子メールＭ１５に付加する（Ｓ１０６）。ＣＰＵ１００は、電子メールＭ１５を受信フォルダに保存する（Ｓ１０７）。
【００５４】
ＣＰＵ１００は、電子メールＭ１３に添付ファイルＦ３があると判断し（Ｓ１０９:ＹＥＳ）、電子メールＭ１３から添付ファイルＦ３および宛先Ｐ２のメールアドレスを抽出する（Ｓ１０９）。宛先Ｐ２のメールアドレスに対応する宛先の氏名を連絡先情報から求める。ＣＰＵ１００は、宛先Ｐ２のメールアドレスおよび氏名に対応するデータフォルダを検索する（Ｓ１１０）。宛先Ｐ２に関するデータフォルダがなければ（Ｓ１１０:ＮＯ）、データフォルダを作成し、宛先Ｐ２のメールアドレスまたは氏名からデータフォルダの名称ＮＰ２を付ける（Ｓ１１１）。宛先Ｐ２に関するデータフォルダＮＰ２があれば（Ｓ１１０:ＹＥＳ）、添付ファイルＦ３に対応識別情報ｉ１ｉ４Ｓを付加して（Ｓ１１２）、データフォルダＮＰ２に保存する（Ｓ１１３）。
【００５５】
図５は、携帯電話機１：Ｐ１において、添付ファイルから添付元の電子メールを表示する処理手順を示すフローチャートである。図６は、携帯電話機１：Ｐ１の表示面２１ｂに、添付ファイルから関連する電子メールを表示する方法を説明するための図である。
【００５６】
添付ファイルに基づき関連する電子メールを表示する機能が設定されると、ＣＰＵ１００はこの機能を実現するための制御プログラムを起動する。
【００５７】
携帯電話機１：Ｐ１のユーザがキー操作部１１を操作してデータフォルダを選択すると、図６（ａ）に示すように、データフォルダに含まれるサブフォルダＮＰ、ＮＰ２、ＮＰ３、ＮＰ４が表示される。なお、サブフォルダＮＰ２には携帯電話機Ｐ２に関するデータが保存されている。
【００５８】
ユーザがサブフォルダＮＰ２を選択すると、図６（ｂ）に示すように、サブフォルダＮＰ２に保存されている画像ファイル：イメージ１、イメージ２、イメージ３が表示される。なお、画像ファイル：イメージ１、イメージ２、イメージ３は、携帯電話機Ｐ２と電子メールを送受信した際に電子メールに添付されていたファイルＦ１、Ｆ２、Ｆ３に相当する。画像ファイル：イメージ１、イメージ２、イメージ３は、上記図３に示す処理に従ってサブフォルダＮＰ２に保存されている。
【００５９】
ユーザがファイル：イメージ３を選択すると、ＣＰＵ１００はファイルが選択されたことを検出する（Ｓ２０１:ＹＥＳ）。ＣＰＵ１００は、選択されたイメージ３のファイルＦ３に対応識別情報が付加されているか否かを判断する（Ｓ２０２）。図４に示すように、ファイルＦ３には対応識別情報ｉ１ｉ４Ｓが付加されているため、ＣＰＵ１００は対応識別情報ありと判断する（Ｓ２０２:ＹＥＳ）。なお、ここで、選択されたファイルに対応識別情報が付いていない場合には（Ｓ２０２:ＮＯ）、ＣＰＵ１００は選択されたファイルを実行する（Ｓ２０３）。たとえば、選択されたファイルが画像ファイルであるため、ＣＰＵは、グラフィックのアプリケーションを起動して、選択されたファイルを表示する。
【００６０】
次に、ＣＰＵ１００は、図６（ｃ）に示すように、ファイルＦ３を実行するか、ファイルＦ３に関する電子メールを表示するか、いずれかの処理を選択するための画面を表示する（Ｓ２０４）。ここで、ユーザが「１」の「実行」を選択すると（Ｓ２０５:ＮＯ）、ＣＰＵ１００は選択ファイルを実行する（Ｓ２０３）。一方、ユーザが「２」の「電子メール表示」を選択すると（Ｓ２０５:ＹＥＳ）、図６（ｄ）に示すように、ＣＰＵ１００は表示する電子メールを選択するための画面を表示面２１ｂに表示する（Ｓ２０６）。
【００６１】
ユーザが図６（ｄ）に示す対象選択画面から「１」の「添付元」を選択すると、ＣＰＵ１００は、電子メールを検索するための識別情報として、ファイルＦ３から対応識別情報ｉ１ｉ４Ｓの全ての部分を抽出し、識別情報ｉ１ｉ４Ｓに基づいてメールフォルダの中の電子メールを検索する。図４に示すように、ＣＰＵ１００は、識別情報ｉ１ｉ４Ｓと一致する対応識別情報ｉ１ｉ４Ｓを有する電子メールＭ１５を特定する。図６（ｅ）に示すように、ＣＰＵ１００は、ファイルＦ３の添付元の電子メールＭ１５の内容を表示面２１ｂに表示する（Ｓ２０７）。なお、電子メールの内容としては、電子メールＭ１５の受信日：21 Ｍａｙ 2010 17:12 、宛先の名前：山田、件名、本文および添付ファイルが表示される。宛先の名前は、携帯電話機Ｐ２のメールアドレスに基づいて連絡先情報から取得される。
【００６２】
また、ユーザが図６（ｄ）に示す対象選択画面から「２」の「返信まで」を選択すると、ＣＰＵ１００は、ファイルＦ３から対応識別情報ｉ１ｉ４Ｓのうちのｉ１ｉ４の部分を抽出し、識別情報ｉ１ｉ４に基づいてメールフォルダの中の電子メールを検索する。図４に示すように、対応識別情報ｉ１ｉ４Ｓ、ｉ１ｉ４Ｒが識別情報ｉ１ｉ４を含むので、ＣＰＵ１００は、対応識別情報ｉ１ｉ４Ｓを有する電子メールＭ１５と、対応識別情報ｉ１ｉ４Ｒを有する電子メールＭ１２とを特定する。図６（ｆ）に示すように、ＣＰＵ１００は、ファイルＦ３の添付元の電子メールＭ１５と、電子メールＭ１５の返信元の電子メールＭ１２とを表示面２１ｂに表示する（Ｓ２０７）。
【００６３】
さらに、ユーザが図６（ｄ）に示す対象選択画面から「３」の「関連全て」を選択すると、ＣＰＵ１００は、ファイルＦ３から対応識別情報ｉ１ｉ４Ｓのうちのｉ１を抽出し、識別情報ｉ１に基づいてメールフォルダの中の電子メールを検索する。図４に示すように、対応識別情報ｉ１Ｒ、ｉ１Ｓ、ｉ１ｉ３Ｓ、ｉ１ｉ４Ｓ、ｉ１ｉ４Ｒが識別情報ｉ１を含むので、ＣＰＵ１００は、対応識別情報ｉ１Ｒ、ｉ１Ｓ、ｉ１ｉ３Ｓ、ｉ１ｉ４Ｓ、ｉ１ｉ４Ｒのそれぞれを有する電子メールＭ３、Ｍ５、Ｍ９、Ｍ１２、Ｍ１５を特定する。図６（ｇ）に示すように、ＣＰＵ１００は、ファイルＦ３および電子メールＭ１５に関連する返信元の電子メールＭ３、Ｍ５、Ｍ９、Ｍ１２、Ｍ１５を表示面２１ｂに表示する（Ｓ２０７）。
【００６４】
また、ユーザが図６（ｄ）に示す対象選択画面から「４」の「関連受信」を選択すると、ＣＰＵ１００は、ファイルＦ３から対応識別情報ｉ１ｉ４Ｓのうちのｉ１を抽出する。ＣＰＵ１００は、識別情報ｉ１と、受信を表わす記号Ｒとを含む電子メールをメールフォルダの中から検索する。図４に示すように、対応識別情報ｉ１Ｒ、ｉ１ｉ３Ｒ、ｉ１ｉ４Ｒが識別情報ｉ１およびＲを含むので、ＣＰＵ１００は、対応識別情報ｉ１Ｒ、ｉ１ｉ３Ｒ、ｉ１ｉ４Ｒのそれぞれを有する電子メールＭ３、Ｍ９、Ｍ１２を特定する。図６（ｈ）に示すように、ＣＰＵ１００は、ファイルＦ３および電子メールＭ１５に関連する電子メールの中で受信した電子メールＭ３、Ｍ９、Ｍ１２を表示面２１ｂに表示する（Ｓ２０７）。
【００６５】
さらに、ユーザが図６（ｄ）に示す対象選択画面から「５」の「関連送信」を選択する場合は、「４」の「関連受信」を選択した場合と同様である。この場合は、ＣＰＵ１００は、識別情報ｉ１と、送信を表わす記号Ｓとを含む電子メールをメールフォルダの中から検索する。図示しないが、ＣＰＵ１００は、ファイルＦ３および電子メールＭ１５に関連する電子メールの中で携帯電話機１：Ｐ１が送信した電子メールＭ５、Ｍ１５を表示面２１ｂに表示する（Ｓ２０７）。
【００６６】
なお、図６（ｆ）から（ｈ）の画面において、何れかの電子メールが選択されると、ＣＰＵ１００は、図６（ｅ）のように、選択された電子メールの内容を表示面２１ｂに表示する。
【００６７】
以上、本実施の形態によれば、添付ファイルは、電子メールから抽出され、電子メールの差出人または宛先に応じて振り分けられて、特定のフォルダに保存される。このため、ユーザは、電子メールの差出人または宛先を特定し、特定した差出人または宛先のデータフォルダを探し出した上、特定したデータフォルダに添付ファイルを保存する手間が省ける。しかも、データフォルダの名称は電子メールの差出人または宛先を示している。このため、ユーザは、添付ファイルが保存されているデータフォルダの名称を見るだけで、添付ファイルの添付元の電子メールの差出人または宛先を知ることができる。
【００６８】
また、本実施の形態によれば、電子メールおよびこれから抽出された添付ファイルのそれぞれに同じ対応識別情報が付与される。これにより、添付ファイルが電子メールとは切り離されて保存されても、選択された添付ファイルの対応識別情報を基に、添付ファイルの添付元の電子メールが特定され表示される。よって、添付ファイルを選択するだけで、添付元の電子メールが簡単に検索され表示され得る。特に、表示された電子メールには、メールの宛先、本文および件名の少なくとも１つが含まれるため、ユーザはこれを基に添付ファイルに関する情報を得ることができる。
【００６９】
また、本実施の形態によれば、返信元の電子メールのＭＤが対応識別情報に含まれる。これにより、添付ファイルの添付元の電子メールだけでなく、この電子メールに関連する返信元の電子メールも表示でき、添付ファイルに関する経緯がわかる。また、電子メールの送信および受信を表わす情報が対応識別情報に含まれることにより、送信および受信の電子メールを選択して表示することができる。
【００７０】
＜その他の実施形態＞
以上、本発明の実施の形態について説明したが、本発明は、上記実施の形態によって何ら制限されるものではなく、また、本発明の実施の形態も、上記以外に種々の変更が可能である。
【００７１】
上記実施形態の携帯電話機１では、添付ファイルの有無に関わらず、送受信された電子メールに対応識別情報を付与したが、添付ファイルが添付されている電子メールだけに対応識別情報を付与することもできる。
【００７２】
上記実施形態の携帯電話機１では、受信された電子メールと送信された電子メールの双方に対応識別情報を付与したが、受信された電子メールだけに対応識別情報を付与することもできる。
【００７３】
上記実施形態の携帯電話機１では、電子メールおよび添付ファイルのそれぞれに対応識別情報を付与したが、添付ファイルだけに対応識別情報を付与することもできる。たとえば、電子メールのＭＤが対応識別情報として添付ファイルに付与される。これにより、添付ファイルが選択されると、添付ファイルの対応識別情報に対応するＭＤが検索されて、検出されたＭＤを有する電子メールが表示面２１ｂに表示される。ただし、ＭＤは送信した電子メールに付与されていないため、送信した電子メールを表示することができない。
【００７４】
上記実施形態の携帯電話機１では、電子メールの対応識別情報と添付ファイルの対応識別情報が同じであったが、電子メールの対応識別情報と添付ファイルの対応識別情報が異なっていてもよい。たとえば、電子メールの対応識別情報と添付ファイルの対応識別情報との対応関係を示すデータベースをメモリ１０１に保存する。これにより、このデータベースにより添付ファイルの対応識別情報から電子メールの対応識別情報を特定し、特定した対応識別情報から電子メールを求めることができる。この場合、電子メールが削除されたり、電子メールに対して返信されたりすると、ＣＰＵ１００は、これらの情報を電子メ
ールの対応識別情報に対応させてデータベースに保存する。そして、添付ファイルから電子メールが検索された際に、ＣＰＵ１００は、電子メールの削除などの情報を表示することもできる。
【００７５】
上記実施形態の携帯電話機１では、送信された電子メールを表わす情報Ｓを対応識別情報に含め、受信された電子メールを表わす情報Ｒを対応識別情報に含めた。これにより、送信された電子メールと受信された電子メールとを区別したが、これらの区別する情報Ｓ、Ｒを対応識別情報に含めなくてもよい。
【００７６】
上記実施形態の携帯電話機１では、電子メールに含まれるＭＤやＲＤを基に対応識別情報を生成したが、これに限定されない。たとえば、電子メールが送受信された順番を対応識別情報とすることもでき、また、電子メールの送受信日時を対応識別情報とすることもできる。
【００７７】
上記実施形態の携帯電話機１では、添付元の電子メールを表示した際に、電子メールの日時、差出人、件名および本文を表示したが、これらの情報の一部だけを表示することもできる。
【００７８】
上記実施形態の携帯電話機１では、添付ファイルの対応識別情報に対応する対応識別情報を有する電子メールを検索できない場合、「電子メールが削除されています。」などの電子メールが存在しない旨のメッセージを表示面２１ｂに表示することもできる。
【００７９】
上記実施形態の携帯電話機１では、データファイルの添付ファイルを選択した際に、図６（ｃ）に示す処理選択画面により、添付ファイルの実行と電子メールの表示とを選択した。これに代えて、添付ファイルの選択方法により添付ファイルの実行と電子メールの表示とを選択できるようにしてもよい。たとえば、添付ファイルを選択するキーの押す時間が短い場合は、添付ファイルを実行し、キーを押す時間が長い場合は、電子メールを表示する。
【００８０】
上記実施形態では、折り畳み式の携帯電話機１を用いたが、スライド式やストレート型などの携帯電話機１を用いることもできる。また、携帯電話機１に代えてＰＤＡなどの携帯端末装置、パソコンなどの情報処理機器などの電子メール機能付き機器を用いることもできる。
【００８１】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【００８２】
１  携帯電話機
２１  表示部
１００  ＣＰＵ
１０１ａ  第１記憶部
１０１ｂ  第２記憶部
１０２  通信モジュール
【図１】
0005693167.tif 000002
【図２】
0005693167.tif 000003
【図３】
0005693167.tif 000004
【図４】
0005693167.tif 000005
【図５】
0005693167.tif 000006
【図６】
0005693167.tif 000007